(57)【要約】      （修正有）【課題】メモリー性を有する表示画素のリセット動作に伴う劣化を制御することが可能な駆動装置、及び、これを用いた表示装置を提供する。【解決手段】メモリー性を有する複数の表示素子で形成された表示パネル２３を駆動する駆動部２１〜２５と、現在の表示状態に関する情報を揮発的に記憶する表示状態記憶部２６ｂと、前記表示状態記憶部の格納内容が有効であるか無効であるかを揮発的に記憶するフラグ記憶部２９と、各表示素子のリセット処理で、前記フラグ記憶部の格納内容を確認し、前記表示情報記憶部の格納内容が無効の場合には、前記表示状態記憶部の格納内容に依らず、所定の第１条件で全ての表示素子に一律的なリセットを行い、前記表示状態記憶部の格納内容が有効である場合には、前記表示状態記憶部の格納内容に応じた第２条件で、各表示素子毎に個別的なリセットを行う前記駆動部２４を制御する制御部２７と、を有する。【選択図】図５
2011197364.tif 000002
【特許請求の範囲】
【請求項１】
メモリー性を有する複数の表示素子で形成された表示パネルを駆動する駆動部と；
各表示素子の現在の表示状態に関する情報を揮発的に記憶する表示状態記憶部と；
前記表示状態記憶部の格納内容が有効であるか無効であるかを揮発的に記憶するフラグ記憶部と；
各表示素子のリセット処理に際して、前記フラグ記憶部の格納内容を確認し、前記表示情報記憶部の格納内容が無効である場合には、前記表示状態記憶部の格納内容に依ることなく、所定の第１条件で全ての表示素子に一律的なリセットを行い、前記表示状態記憶部の格納内容が有効である場合には、前記表示状態記憶部の格納内容に応じた第２条件で、各表示素子毎に個別的なリセットを行うように、前記駆動部を制御する制御部と；
を有することを特徴とする駆動装置。
【請求項２】
システムの起動時にその格納内容が不定となっている前記出力状態記憶部に対して、システムの前回終了時の格納内容を復帰させるために必要な復帰情報を不揮発的に記憶する復帰情報記憶部と；
システムが前回正常終了したか否かを不揮発的に記憶する終了状態記憶部と；
をさらに有し、
前記復帰情報記憶部は、システムの正常終了時に前記復帰情報を記憶し、
前記終了状態記憶部は、システムの正常終了時に正常終了フラグを記憶し、
前記制御部は、システムの起動に際して、前記終了状態記憶部の格納内容を確認し、システムが前回正常終了していた場合には、前記復帰情報に基づいて前記出力状態記憶部にシステムの前回終了時の格納内容を復帰させるとともに、前記フラグ記憶部に有効フラグを記憶させ、システムが前回正常終了していなかった場合には、前記フラグ記憶部に無効フラグを記憶させることを特徴とする請求項１に記載の駆動装置。
【請求項３】
前記復帰情報は、前記表示パネルに表示されている出力画像のページ履歴情報であることを特徴とする請求項２に記載の駆動装置。
【請求項４】
前記復帰情報は、前記出力情報記憶部の格納内容そのものであることを特徴とする請求項２に記載の駆動装置。
【請求項５】
前記フラグ記憶部は、システムの起動時に無効フラグを記憶し、前記表示パネルの初回描画処理後に有効フラグを記憶することを特徴とする請求項１に記載の駆動装置。
【請求項６】
前記第１条件は、全ての表示素子の濃度が最大値に設定されていることを想定し、これら全ての表示素子の濃度をいずれも零値にリセットするために必要な条件であることを特徴とする請求項１〜請求項５のいずれかに記載の駆動装置。
【請求項７】
前記表示パネルと；
請求項１〜請求項６のいずれかに記載の駆動装置と；
を有することを特徴とする表示装置。
【請求項８】
前記複数の表示素子は、いずれも電気化学表示素子であることを特徴とする請求項７に記載の表示装置。
【発明の詳細な説明】
【技術分野】
【０００１】
本発明は、メモリー性を有する表示素子で形成された表示パネルの駆動制御を行う駆動装置、及び、これを用いた表示装置（電子情報の表示端末装置）に関するものである。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手し、電子情報を閲覧する機会が益々増大している。
【０００３】
このような電子情報の閲覧手段として、従来の透過型液晶ディスプレイやＣＲＴ［Cathode Ray Tube］、また近年では、有機ＥＬ［electroluminescence］ディスプレイ等の発光型ディスプレイが主として用いられているが、特に、電子情報がドキュメント情報の場合、閲覧者は比較的長時間にわたってこの閲覧手段を注視する必要がある。一般に発光型ディスプレイの欠点として、フリッカーで目が疲労する、持ち運びに不便、読む姿勢が制限され、静止画面に視線を合わせる必要が生じる、長時間閲覧すると消費電力が嵩む等が知られており、上記のように比較的長時間にわたって閲覧手段を注視する行為は閲覧者にとって優しいとは言い難い。
【０００４】
上記の発光型ディスプレイが有している欠点を解消することができるディスプレイとして、外光を利用し、電力を消費せずに像情報を保持することができるメモリー性反射型ディスプレイが知られているが、メモリー性反射型ディスプレイは下記の理由で十分な性能を有しているとは言い難い。
【０００５】
反射型液晶ディスプレイ等の偏光板を用いる方式のメモリー性反射型ディスプレイは、反射率が約４０％と低くため白表示に難があり、また、構成部材の作成に用いる製法の多くが簡便とは言い難い。
【０００６】
ポリマー分散型液晶を用いる方式のメモリー性反射型ディスプレイは、高い駆動電圧を必要とし、また、有機物同士の屈折率差を利用しているため、得られる画像のコントラストが十分でない。
【０００７】
ポリマーネットワーク型液晶を用いる方式のメモリー性反射型ディスプレイは、高い駆動電圧が必要であること、メモリー性を向上させるために複雑なＴＦＴ［Thin Film Transistor］回路が必要であること等の課題を抱えている。
【０００８】
電気泳動方式のメモリー性反射型ディスプレイは、１０Ｖ以上の高い駆動電圧を必要とし、また、電気泳動性粒子の凝集による画質劣化が起こりやすい。電気泳動性粒子を一定量で小分けする隔壁構造にすることで凝集を低減できるが、そのようにするとセル構造や製造プロセスが複雑になるため安定した製造が難しい。
【０００９】
上述した各方式のメモリー性反射型ディスプレイの欠点を解消するものとして、金属又は金属塩の溶解及び析出を利用するエレクトロデポジション（以下、ＥＤ［electrodeposition］という）方式のメモリー性反射型ディスプレイが知られている。ＥＤ方式のメモリー性反射型ディスプレイは、（i）３Ｖ以下の低電圧で駆動が可能である、（ii）セル構造が簡便である、（iii）表示品位が優れている（明るいペーパーライクな白表示と引き締まった黒表示）、という特長を有している。
【先行技術文献】
【特許文献】
【００１０】
【特許文献１】特開２００４−４２６７号公報
【発明の概要】
【発明が解決しようとする課題】
【００１１】
ところで、ＥＤ方式のメモリー性反射型ディスプレイでは、全画素を一度白状態にリセット（白リセット）してから、任意の画素を黒状態に変化させることにより、所望の画像表示が行われる（例えば、特許文献１を参照）。
【００１２】
上記の白リセットに際して、従来では、各画素毎の表示状態（金属又は金属塩の析出状態）を考慮することなく、全ての画素に対して一律的に、白リセット用のパルス電圧（観察面側の電極に析出している金属又は金属塩を溶解させるためのパルス電圧）が印加されていた。すなわち、従来では、白リセットが必要な黒状態（金属又は金属塩が析出している状態）の画素だけでなく、元々から白状態（金属又は金属塩が析出していない状態）の画素にまで、白リセット用のパルス電圧が印加されていた。
【００１３】
このように、従来では、元々から白状態の画素に対して、不必要な白リセット用のパルス電圧を印加していたので、表示素子にとって予期しない反応が起こりやすくなり、延いては、表示素子の劣化を早めてしまう、という問題があった。
【００１４】
本発明は、上記の問題点に鑑み、メモリー性を有する表示画素のリセット動作に伴う劣化を抑制することが可能な駆動装置、及び、これを用いた表示装置を提供することを目的とする。
【課題を解決するための手段】
【００１５】
上記の目的を達成するために、本発明に係る駆動装置は、メモリー性を有する複数の表示素子で形成された表示パネルを駆動する駆動部と；各表示素子の現在の表示状態に関する情報を揮発的に記憶する表示状態記憶部と；前記表示状態記憶部の格納内容が有効であるか無効であるかを揮発的に記憶するフラグ記憶部と；各表示素子のリセット処理に際して、前記フラグ記憶部の格納内容を確認し、前記表示情報記憶部の格納内容が無効である場合には、前記表示状態記憶部の格納内容に依ることなく、所定の第１条件で全ての表示素子に一律的なリセットを行い、前記表示状態記憶部の格納内容が有効である場合には、前記表示状態記憶部の格納内容に応じた第２条件で、各表示素子毎に個別的なリセットを行うように前記駆動部を制御する制御部と；を有する構成（第１の構成）とされている。
【００１６】
上記第１の構成から成る駆動装置は、システムの起動時にその格納内容が不定となっている前記出力状態記憶部に対して、システムの前回終了時の格納内容を復帰させるために必要な復帰情報を不揮発的に記憶する復帰情報記憶部と；システムが前回正常終了したか否かを不揮発的に記憶する終了状態記憶部と；をさらに有し、前記復帰情報記憶部は、システムの正常終了時に前記復帰情報を記憶し、前記終了状態記憶部は、システムの正常終了時に正常終了フラグを記憶し、前記制御部は、システムの起動に際して、前記終了状態記憶部の格納内容を確認し、システムが前回正常終了していた場合には、前記復帰情報に基づいて前記出力状態記憶部にシステムの前回終了時の格納内容を復帰させるとともに、前記フラグ記憶部に有効フラグを記憶させ、システムが前回正常終了していなかった場合には、前記フラグ記憶部に無効フラグを記憶させる構成（第２の構成）にするとよい。
【００１７】
また、上記第２の構成から成る駆動装置において、前記復帰情報は、前記表示パネルに表示されている出力画像のページ履歴情報である構成（第３の構成）にするとよい。
【００１８】
また、上記第２の構成から成る駆動装置において、前記復帰情報は、前記出力情報記憶部の格納内容そのものである構成（第４の構成）にするとよい。
【００１９】
また、上記第１の構成から成る駆動装置において、前記フラグ記憶部は、システムの起動時に無効フラグを記憶し、前記表示パネルの初回描画処理後に有効フラグを記憶する構成（第５の構成）にするとよい。
【００２０】
また、上記第１〜第５いずれかの構成から成る駆動装置において、第１条件は、全ての表示素子の濃度が最大値に設定されていることを想定し、これら全ての表示素子の濃度をいずれも零値にリセットするために必要な条件である構成（第６の構成）にするとよい。
【００２１】
また、本発明に係る表示装置は、前記表示パネルと；上記第１〜第６いずれかの構成から成る駆動装置と；を有する構成（第７の構成）とされている。
【００２２】
なお、上記第７の構成から成る表示装置において、前記複数の表示素子は、いずれも電気化学表示素子である構成（第８の構成）にするとよい。
【発明の効果】
【００２３】
本発明によれば、メモリー性を有する表示画素のリセット動作に伴う劣化を抑制することが可能な駆動装置、及び、これを用いた表示装置を提供することができる。
【図面の簡単な説明】
【００２４】
【図１Ａ】ＥＤ表示素子の基本構成を示す模式図（黒状態）
【図１Ｂ】ＥＤ表示素子の基本構成を示す模式図（白状態）
【図２】ＥＤ表示素子に一定電圧のパルスを印加した場合における典型的な濃度変化と電流波形を示す波形図
【図３】アクティブマトリクス駆動方式を採用したＥＤ表示装置の一構成例を示す等価回路図
【図４】ＥＤ表示装置の駆動方法を説明するためのタイミングチャート
【図５】ＥＤ表示装置の第１実施形態を示すシステム構成図
【図６】ひとつの表示パネルに対してゲートドライバ及びソースドライバを複数個ずつ設けた場合のブロック図
【図７】ＥＤ表示装置の外観図
【図８】ＥＤ表示装置の反転白リセット動作を説明するためのタイミングチャート
【図９】第１実施形態におけるシステム起動例を示すタイミングチャート
【図１０】ＥＤ表示装置の第２実施形態を示すシステム構成図
【図１１】第２実施形態におけるシステム正常終了後のシステム起動例を示すタイミングチャート
【図１２】第２実施形態におけるシステム異常終了後のシステム起動例を示すタイミングチャート
【図１３】表示パネルをカラー化（ＲＧＢＷ化）した場合の模式図
【発明を実施するための形態】
【００２５】
ここでは、本発明の適用対象として、ＥＤ方式のメモリー性反射型ディスプレイ（以下では、ＥＤ表示装置と略称する）に搭載される駆動装置を例示し、図面を参照しながら詳細な説明を行う。本発明に係るＥＤ表示装置は、金属又は金属塩の溶解及び析出を利用するＥＤ方式の表示素子（以下では、ＥＤ表示素子と略称する）を複数マトリクス状に備えている。
【００２６】
＜ＥＤ表示素子の基本構成について＞
図１Ａ及び図１Ｂは、いずれも、ＥＤ表示素子の基本構成を示す模式図である。なお、図１Ａでは、ＥＤ表示素子１０を黒状態とした様子が描写されており、図１Ｂでは、ＥＤ表示素子１０を白状態とした様子が描写されている。
【００２７】
図１Ａ及び図１Ｂに示したＥＤ表示素子１０は、上部基板１１と、下部基板１２と、上部基板１１上に形成された上部電極１３と、下部基板１２上に上部電極１３と対向する形で形成された下部電極１４と、上部電極１３と下部電極１４との間に挟み込まれた電解液１５と、を有している。電解液１５は、金属または金属を化学構造中に含む化合物と、白色顔料と、溶媒と、を有している。
【００２８】
＜銀又は銀を化学構造中に含む化合物について＞
なお、高コントラスト化の観点から、電解液１５に含まれる金属または金属を化学構造中に含む化合物としては、銀又は銀を化学構造中に含む化合物が好適である。銀又は銀を化学構造中に含む化合物とは、例えば、酸化銀、硫化銀、金属銀、銀コロイド粒子、ハロゲン化銀、銀錯体化合物、銀イオン等の化合物の総称であり、固体状態や液体への可溶化状態や気体状態などの相の状態種、中性、アニオン性、カチオン性等の荷電状態種は、特に問わない。
【００２９】
＜上部電極及び下部電極について＞
観察面側となる上部電極１３は、透明な電極で構成され、ＩＴＯ［Indium Tin Oxide］やＩＺＯ［Indium Zinc Oxide］など、一般的なディスプレイなどに用いられるような透明電極であれば、いずれでも使用することができる。下部電極１４は、化学的に安定な電極で構成され、Ａｕ、Ａｇ、Ｃｕ、Ｐｔ、Ｐｄ、Ｆｅ、Ｎｉ、カーボン、Ｃｒ、Ａｌ、Ｍｏなどや、これらの積層膜あるいは合金などを用いることができる。なお、これらの電極のパターン形成方法としては、（i）基板上にスパッタ法や真空蒸着法などで電極材料を成膜した後、フォトリソグラフィ法によって電極パターンを形成する方法、（ii）金属ナノ粒子を分散したインクを基板に塗布して成膜し、その後フォトリソグラフィ法により電極パターンを形成する方法、及び、（iii）スクリーン印刷やフレキソ印刷やインクジェット印刷などでダイレクトに基板上に電極をパターニングする方法、などがある。
【００３０】
＜ＥＤ表示素子の駆動原理について＞
【００３１】
図１Ａに示すように、下部電極１４の電位を基準電位として、上部電極１３に書込閾値以上のマイナス電圧を印加すると、上部電極１３から電解液１５に電子が注入され、金属又は金属を化学構造中に含む化合物が上部電極１３上に析出する。この状態を観察側から見ると、析出金属又は析出金属塩による黒色が観察される。
【００３２】
一方、図１Ｂに示すように、下部電極１４の電位を基準電位として、上部電極１３に消去閾値以上のプラス電圧を印加すると、上部電極１３上に析出していた金属又は析出金属塩が酸化によりイオン化されて電解液１５中に溶出するため、析出金属又は析出金属塩による黒色が消失する。この状態を観察側から見ると、白色顔料による白色が観察される。
【００３３】
上述のように、上部電極１３と下部電極１４との間に印加する電圧の極性を切り替えることで、白色と黒色の表示を可逆的に切り替えることができる。また、白黒の濃度制御については、析出金属又は析出金属塩の析出量を調整することで実現することができる。このような白黒の濃度制御方式としては、上部電極１３と下部電極１４との間に印加する電圧の大きさを変化させる方式や、一定電圧の印加時間を変化させる方式が考えられる。
【００３４】
＜ＥＤ表示素子の濃度特性、電流特性について＞
図２は、ＥＤ表示素子に一定電圧値のパルスＶを印加した場合における典型的な濃度変化と電流波形を示す波形図である。本図に示す通り、濃度ＯＤはパルスＶの印加時間ｔに応じて高くなっていき、電流ＩはパルスＶの印加直後にピークを持つような波形となる。また、濃度ＯＤは、パルスＶの印加終了時点での濃度に維持されるので、パルスＶの印加時間を制御することにより、白表示と黒表示だけでなく、その中間調表示（階調度制御）を行うことができる。
【００３５】
＜アクティブマトリクス駆動方式を採用したＥＤ表示装置について＞
ＥＤ表示装置を構成する場合には、ＥＤ表示素子の駆動方式として、アクティブマトリクス駆動方式を採用することができる。図３は、アクティブマトリクス駆動方式を採用したＥＤ表示装置の一構成例を示す等価回路図である。
【００３６】
本構成例のＥＤ表示装置２０は、ｘ本のゲート線Ｇ１〜Ｇｘを駆動するゲートドライバ２１と、ｙ本のソース線Ｓ１〜Ｓｙを駆動するソースドライバ２２と、表示パネル２３とを有する。表示パネル２３は、ｘ行×ｙ列のマトリクス状に形成されたセル２３１と、電源電圧ＶＤＤが印加される電源電圧線２３２と、コモン電圧ＶＣＯＭが印加されるコモン電圧線２３３と、を有する。
【００３７】
表示パネル２３を形成する複数のセル２３１は、いずれも同一構成から成り、選択用トランジスタＴｒ１と、駆動用トランジスタＴｒ２と、ＥＤ表示素子１０と、補助容量Ｃ１及びＣ２とを有する。なお、表示パネル２３が白黒パネルである場合には、画像データの１ピクセルとして、各々のセル２３１を制御すればよい。
【００３８】
選択用トランジスタＴｒ１の第１端子（ドレインまたはソース）は、ソース線Ｓ１〜Ｓｙのいずれか一に接続されている。選択用トランジスタＴｒ１の第２端子（ソースまたはドレイン）は、駆動用トランジスタＴｒ２の制御端子（ゲート）に接続されている。選択用トランジスタＴｒ１の制御端子（ゲート）は、ゲート線Ｇ１〜Ｇｘのいずれか一に接続されている。駆動用トランジスタＴｒ２の第１端子（ドレインまたはソース）は、電源電圧線２３２に接続されている。駆動用トランジスタＴｒ２の第２端子（ソースまたはドレイン）はＥＤ表示素子１０の下部電極１４（図１を合わせて参照）に接続されている。ＥＤ表示素子１０の上部電極１３（図１を合わせて参照）は、コモン電圧線２３３に接続されている。このコモン電圧線２３３は、表示パネル２３の観察面側に敷設する必要があるため、ＩＴＯやＩＺＯなどの透過性導電素材を用いて形成すればよい。また、駆動用トランジスタＴｒ２の第１端子と制御端子との間、及び、第２端子と制御端子との間には、それぞれ、補助容量Ｃ１及びＣ２が接続されている。
【００３９】
また、本構成例のＥＤ表示装置２０では、選択用トランジスタＴｒ１と駆動用トランジスタＴｒ２として、いずれもＮチャネル型のＴＦＴ［Thin Film Transistor］を用いている。このＮチャネルのＴＦＴについては、ａ−Ｓｉ（アモルファスシリコン）で作成したものを利用してもよいし、Ｃ６０などの有機半導体で作成したものを利用してもよい。本構成例のＥＤ表示装置２０を製造する際には、ＬＣＤ［Liquid Crystal Display］の製造プロセスを利用することができる。
【００４０】
また、金属又は金属塩の溶解及び析出を利用するためには、ＥＤ表示素子１０に電流を流す必要があるため、本構成例のＥＤ表示装置２０で示したように、選択用トランジスタＴｒ１と駆動用トランジスタＴｒ２を用いる２トランジスタ方式を採用することが望ましい。この２トランジスタ方式は、アクティブマトリクス方式を採用した有機ＥＬ表示装置でも一般的に使われている技術である。
【００４１】
＜ＥＤ表示装置の駆動方法＞
図４は、ＥＤ表示装置２０の駆動方法を説明するためのタイミングチャートであり、上から順に、ゲート線Ｇ１〜Ｇｘに印加される電圧信号（以下では、適宜、ゲート信号Ｇ１〜Ｇｘと呼ぶ）、ソース線Ｓ１に印加される電圧信号（以下では、適宜、ソース信号Ｓ１と呼ぶ）、コモン電圧ＶＣＯＭ、及び、第１列目のＥＤ表示素子１０に各々印加される電圧ＥＤ＜ｋ，１＞（ただしｋ＝１、２、…、ｘ、以下同様）が描写されている。なお、電圧ＥＤ＜ｋ，１＞は、下部電極１４を基準とした上部電極１３の電圧（＝ＶＣＯＭ−ＶＤＤ）を示している。
【００４２】
このように、図４では、説明を簡単とするために、列方向については、第１列目のＥＤ表示素子１０のみに着目した描写を行ったが、第２列目〜第ｙ列目についても、第１列目と基本的に同様の駆動制御が行われることは言うまでもない。
【００４３】
また、ひとつのＥＤ表示素子１０は、ｍフレームで白から黒への変化が起こるものとする。ここでいう「フレーム」とは、ＥＤ表示素子１０に対して黒描画用のパルス電圧を印加する単位期間を指しており、具体的には、ゲート信号Ｇ１〜Ｇｘの各々について、ひとつの立上がりエッジが生じてから次の立上がりエッジが生じるまでの一定期間（走査期間）がひとつのフレームに相当する。従って、異なるゲート線に接続されているＥＤ表示素子１０同士を比べると、各々のフレーム開始タイミング及びフレーム終了タイミングは、各々が接続されているゲート線の走査間隔分だけずれることになる。例えば、図４中の符号Ｔ１〜Ｔｍは、それぞれ、第１行目のＥＤ表示素子１０に着目した場合のフレームを表している。
【００４４】
図４の駆動シーケンスは、表示パネル２３の全面を白色にリセットする全面白描画期間Ｔｗ（時刻ｔ１１〜ｔ１２）と、表示パネル２３に任意の画像を表示する黒描画期間Ｔｂ（時刻ｔ１３〜ｔ１９）から成る。
【００４５】
全面白描画期間Ｔｗでは、まず、ゲート信号Ｇ１〜Ｇｘが所定の期間ずつ順次ハイレベルに立ち上げられる。なお、ゲート信号Ｇｋのハイレベル期間中は、第ｋ行目の選択用トランジスタＴｒ１がいずれもオン状態とされる。
【００４６】
また、全面白描画期間Ｔｗでは、ゲート信号Ｇ１〜Ｇｘの順次走査中、ソース信号Ｓ１がハイレベルとされる（ソース信号Ｓ２〜Ｓｙについても同様）。その結果、第１列目の駆動用トランジスタＴｒ２のゲートには、それぞれ、順次オン状態とされる選択用トランジスタＴｒ１を介して、ハイレベルのソース信号Ｓ１が順次印加され、駆動用トランジスタＴｒ２が順次オン状態とされる。なお、駆動用トランジスタＴｒ２に印加されたゲート電圧は、次にゲート電圧が書き込まれるまで、補助容量Ｃ１及びＣ２により保持される。
【００４７】
また、全面白描画期間Ｔｗでは、その全期間にわたり、電源電圧ＶＤＤを基準電位として、コモン電圧ＶＣＯＭが消去閾値以上のプラス電圧に設定される。従って、第１列目のＥＤ表示素子１０には、順次オン状態とされる駆動用トランジスタＴｒ２を介して、各々の上部電極１３から下部電極１４に向けた電流が順次流れ始める。なお、上記のプラス電圧は、ＥＤ表示素子１０が破壊されない程度の電圧値に設定しなければならないが、全面白描画（表示パネル２３のリセット）の高速化の観点から言えば、できるだけ高い電圧に設定することが好ましい。
【００４８】
その後、全面白描画期間Ｔｗでは、再び、ゲート信号Ｇ１〜Ｇｘの順次走査が行われるが、先と異なり、ソース信号Ｓ１はローレベルとされる（ソース信号Ｓ２〜Ｓｙについても同様）。従って、第１列目の駆動用トランジスタＴｒ２のゲートには、それぞれ、順次オン状態とされる選択用トランジスタＴｒ１を介して、ローレベルのソース信号Ｓ１が順次印加され、駆動用トランジスタＴｒ２が順次オフ状態とされる。その結果、第１列目のＥＤ表示素子１０に流れていた電流が順次停止される。
【００４９】
このように、全面白描画期間Ｔｗでは、表示パネル２３を形成する全てのＥＤ表示素子１０につき、各々の下部電極１４の電位を基準電位として、上部電極１３に消去閾値以上のプラス電圧が所定期間にわたって印加される。このようなプラス電圧の印加により、上部電極１３上に析出していた金属又は析出金属塩が酸化によりイオン化されて電解液１５中に溶出するため、析出金属又は析出金属塩による黒色が消失する。この状態を観察側から見ると、白色顔料による白色が観察される（図１Ｂを参照）。
【００５０】
なお、図４の駆動シーケンスを採用した場合には、ＥＤ表示素子１０に電流が流れ始めるタイミングを各行毎にずらすことができるので、突入電流を抑えることが可能となる。
【００５１】
表示パネル２３の全面白描画が完了した後、黒描画期間Ｔｂでは、ゲート信号Ｇ１〜Ｇｘの順次走査がｍフレームにわたって繰り返し実行される。
【００５２】
また、黒描画期間Ｔｂでは、ゲート信号Ｇ１〜Ｇｘの順次走査中、各行毎にソース信号Ｓ１のハイレベル／ローレベルが逐次切り換えられる（ソース信号Ｓ２〜Ｓｙも同様）。なお、ひとつのフレームにおいて、ソース信号Ｓ１がハイレベルに設定された行では、そのフレーム期間中、駆動用トランジスタＴｒ２がオン状態に維持されることになる。一方、ひとつのフレームにおいて、ソース信号Ｓ１がローレベルに設定された行では、そのフレーム期間中、駆動用トランジスタＴｒ２がオフ状態に維持されることになる。すなわち、図４の駆動シーケンスによれば、ゲート信号Ｇ１〜Ｇｘの順次走査中、各行毎にソース信号Ｓ１のハイレベル／ローレベルを切り換えることにより、駆動用トランジスタＴｒ２のオン期間を各行毎にフレーム単位で調整することが可能となる。
【００５３】
また、黒描画期間Ｔｂでは、その全期間にわたり、電源電圧ＶＤＤを基準電位として、コモン電圧ＶＣＯＭが書込閾値以上のマイナス電圧に設定される。従って、ひとつのフレームにおいて、ソース信号Ｓ１がハイレベルに設定された行のＥＤ表示素子１０には、そのフレーム期間中、オン状態に維持される駆動用トランジスタＴｒ２を介して、その下部電極１４から上部電極１３に向けた電流が流れる。このようなマイナス電圧の印加により、上部電極１３から電解液１５に電子が注入され、金属又は金属を化学構造中に含む化合物が上部電極１３上に析出する。この状態を観察側から見ると、析出金属又は析出金属塩による黒色が観察される（図１Ａを参照）。なお、上記のマイナス電圧は、ＥＤ表示素子１０が破壊されない程度の電圧値に設定しなければならないが、黒描画の高速化の観点から言えば、できるだけ高い電圧に設定することが好ましい。
【００５４】
図４の例では、第１行目、第３行目、及び、第ｘ行目のＥＤ表示素子１０について、各々の表示色を白色から黒色へと完全に変化させるために、ｍフレームにわたって上記のマイナス電圧がＥＤ表示素子１０に印加されている。この場合には、ゲート信号Ｇ１〜Ｇｘの順次走査中、１フレーム目〜ｍフレーム目の全てにおいて、第１行目、第３行目、及び第ｘ行目が選択されるタイミングでソース信号Ｓ１をハイレベルに設定すればよい。
【００５５】
一方、第２行目のＥＤ表示素子１０については、その表示色を白色のままに維持するために、いずれのフレームにおいても、ＥＤ表示素子１０に何ら電圧が印加されない状態とされている。この場合には、ゲート信号Ｇ１〜Ｇｘの順次走査中、１フレーム目〜ｍフレーム目の全てにおいて、第２行目が選択されるタイミングでソース信号Ｓ１をローレベルに設定すればよい。
【００５６】
また、ＥＤ表示素子１０の階調制御を行う場合には、黒描画期間Ｔｂにおいて、上記マイナス電圧の印加時間（すなわちフレーム数）を制御すればよい。例えば、ひとつのＥＤ表示素子１０について、その表示色を白色と黒色の中間濃度（灰色）に変化させたければ、１フレーム目からｎフレーム目（ただし１＜ｎ＜ｍ）まで、上記のマイナス電圧をＥＤ表示素子１０に印加した後、（ｎ＋１）フレーム目からｍフレーム目までは、ＥＤ表示素子１０に何ら電圧が印加されない状態とすればよい。この場合には、ゲート信号Ｇ１〜Ｇｘの順次走査中、１フレーム目〜ｎフレーム目において、該当行が選択されるタイミングでソース信号Ｓ１をハイレベルに設定し、（ｎ＋１）フレーム目からｍフレーム目において、該当行が選択されるタイミングでソース信号Ｓ１をローレベルに設定すればよい。
【００５７】
このように、表示パネル２３を形成する全てのＥＤ表示素子１０を一度白色状態にした後、任意のＥＤ表示素子１０のみを黒色状態に変化させることで、任意の画像を表示することが可能となる。
【００５８】
＜ＥＤ表示装置のシステム構成（第１実施形態）＞
図５は、ＥＤ表示装置２０の第１実施形態を示すシステム構成図である。本構成例のＥＤ表示装置２０は、先に説明したゲートドライバ２１、ソースドライバ２２、及び、表示パネル２３に加えて、表示コントローラ２４と、コモン電圧駆動回路２５と、第１フレームメモリ２６ａと、第２フレームメモリ２６ｂと、中央演算処理装置２７（以下では、ＣＰＵ［Central Processing Unit］２７と呼ぶ）と、操作部２８と、有効／無効フラグ記憶部２９と、を有する。
【００５９】
ゲートドライバ２１は、表示コントローラ２４の指示に応じて、表示パネル２３に出力されるゲート信号Ｇ１〜Ｇｘを生成する。ソースドライバ２２は、表示コントローラ２４の指示に応じて、表示パネル２３に出力されるソース線Ｓ１〜Ｓｙを生成する。なお、図３や図５では、ひとつの表示パネル２３に対して、ゲートドライバ２１とソースドライバ２２を１つずつ設けた構成が描写されているが、本発明の構成はこれに限定されるものではなく、図６に示すように、ひとつの表示パネル２３に対して、Ｘ個（ただしＸ≧２）のゲートドライバ２１−１〜２１−Ｘと、Ｙ個（ただしＹ≧２）のソースドライバ２２−１〜２２−Ｙを設けた構成としても構わない。特に、図６の構成を採用すれば、表示パネル２３の大画面化や高精細化に伴い、表示パネル２３を形成する画素数が増大した場合でも、ゲートドライバやソースドライバの設置数Ｘ、Ｙを増やすことで柔軟に対応することができる。
【００６０】
表示パネル２３は、ＥＤ表示素子１０を用いた複数のセル２３１をマトリクス状に有しており、ゲートドライバ２１から入力されるゲート信号Ｇ１〜Ｇｘ、ソースドライバ２２から入力されるソース信号Ｓ１〜Ｓｙ、及び、コモン電圧駆動回路２５から入力されるコモン電圧ＶＣＯＭに応じて任意の画像を表示する（図３を参照）。なお、先にも述べた通り、表示パネル２３が白黒パネルである場合には、画像データの１ピクセルとして、各々のセル２３１を制御すればよい。
【００６１】
表示コントローラ２４は、ＣＰＵ２７からの指示や、第１フレームメモリ２６ａ及び第２フレームメモリ２６ｂの格納情報に基づいて、ゲートドライバ２１、ソースドライバ２２、及び、コモン電圧駆動回路２５を制御することにより、表示パネル２３に任意の画像を出力させる。
【００６２】
コモン電圧駆動回路２５は、表示コントローラ２４の制御に基づいて、表示パネル２３に出力するコモン電圧ＶＣＯＭを生成する。
【００６３】
第１フレームメモリ２６ａは、表示パネル２３に表示すべき画像の情報（これから描画する予定の画像データ）を揮発的に記憶する。なお、上記の画像データは、ＣＰＵ２７を介して第１フレームメモリ２６ａに記憶される。
【００６４】
第２フレームメモリ２６ｂは、表示パネル２３を形成する各画素毎の最新濃度情報（現時点における駆動済みフレーム数）を揮発的に記憶する。
【００６５】
ＣＰＵ２７は、ＥＤ表示装置２０の動作を統括的に制御する主体であり、例えば、操作部２８で受け付けられたユーザの入力操作に応じて、表示コントローラ２４、並びに、第１フレームメモリ２６ａ及び第２フレームメモリ２６ｂを制御する。例えば、ＣＰＵ２７は、操作部２８でページ送りやページ戻しのユーザ操作が受け付けられたことを判定し、適切な画像データを不図示の画像データ保持部（内蔵フラッシュメモリや着脱型のメモリカードなど）から第１フレームメモリ２６ａに転送する。
【００６６】
また、ＣＰＵ２７は、ＥＤ表示素子１０の白リセット処理に際して、有効／無効フラグ記憶部２９の格納内容を確認し、第２フレームメモリ２６ｂの格納内容が無効である場合には、第２フレームメモリ２６ｂの格納内容に依ることなく、所定の第１条件で全ての表示素子に一律的なリセットを行い、第２フレームメモリ２６ｂの格納内容が有効である場合には、第２フレームメモリ２６ｂの格納内容に応じた第２条件で、各表示素子毎に個別的なリセットを行うように、表示コントローラ２４を制御する。この制御動作については後ほど詳細に説明する。
【００６７】
操作部２８は、ユーザの入力操作（ボタン操作など）を受け付けて、その内容をＣＰＵ２７に伝達するユーザインタフェイスである。
【００６８】
有効／無効フラグ記憶部２９は、ＣＰＵ２７の制御に基づいて、第２フレームメモリ２６ｂの格納内容が有効であるか無効であるか、すなわち、第２フレームメモリ２６ｂの格納内容に基づく白リセット（詳細については後述）を適切に実行し得る状態であるか否かを示す有効／無効フラグを揮発的に記憶する。
【００６９】
＜ＥＤ表示装置の外観＞
図７は、ＥＤ表示装置２０の外観図である。ＥＤ表示装置２０の本体には、表示パネル２３のほか、操作部２８として、現ページの表示画像を消去して次ページの表示画像を描写するためのページ送りボタン２８ａと、現ページの表示画像を消去して前ページの表示画像を描写するためのページ戻しボタン２８ｂと、が備えられている。また、図７には描写されていないが、ＥＤ表示装置２０には、電源スイッチ、外部情報機器（例えばパーソナルコンピュータ）との接続を確立するための各種インタフェイス（ＵＳＢ［Universal Serial Bus］インタフェイスなど）、及び、メモリカードなどを着脱するためのメモリスロットなどが具備されている。
【００７０】
＜白リセット機能＞
以下の説明では、表示パネル２３の白リセット機能に関して、各画素毎の表示状態（金属又は金属塩の析出状態）を考慮せず、全ての画素に対して一律的に白リセット用のパルス電圧を印加する手法（先出の図４で示した時刻ｔ１１〜ｔ１２を参照）を「強制白リセット」と呼ぶ。一方、各画素毎の表示状態を考慮し、各画素毎に対して個別的に白リセット用のパルス電圧を印加する手法を「反転白リセット」と呼ぶ。
【００７１】
図８は、ＥＤ表示装置２０の反転白リセット動作を説明するためのタイミングチャートであり、上から順番に、ゲート信号Ｇ１〜Ｇ３、ソース信号Ｓ１、コモン電圧ＶＣＯＭ、及び、３行分のＥＤ表示素子１０に各々印加される電圧ＥＤ１〜ＥＤ３（＝ＶＣＯＭ−ＶＤＤ）が描写されている。このように、図８の例では、３行分のＥＤ表示素子１０のみを駆動対象とし、かつ、ひとつのＥＤ表示素子１０は４フレームで白から黒、ないし、黒から白への変化が起こるものとする。
【００７２】
また、図８の例では、時刻ｔ２１よりも前に、操作部２８のページ送りボタン２８ａが押下されて、ＣＰＵ２７に対する割込Ａがかかり、表示パネル２３に表示すべき画像データ（各行毎のＥＤ表示素子１０の濃度を決定するための階調制御値）として、「３，０，１」が第１フレームメモリ２６ａに格納されているものとする。なお、画像データの階調制御値については、「０」が白色、「１」が薄い灰色（白に近い灰色）、「２」が灰色、「３」が濃い灰色（黒に近い灰色）、「４」が黒に相当する。
【００７３】
また、図８の例では、時刻ｔ２１以降の黒描画処理に先立ち、３行分のＥＤ表示素子１０全てがすでに白状態に戻されており、第２フレームメモリ２６ｂに格納されている各画素毎の最新濃度情報が「０，０，０」にリセットされているものとする。
【００７４】
時刻ｔ２１〜ｔ２２の黒描画期間では、第１フレームメモリ２６ａに格納された画像データに基づいて、第１行目のＥＤ表示素子１０に、３フレーム分の負のパルス電圧ＥＤ１が印加され、第３行目のＥＤ表示素子１０に、１フレーム分の負のパルス電圧ＥＤ３が印加される。その結果、時刻ｔ２２では、各々の表示色が「濃い灰色」と「薄い灰色」に変化している。一方、第２行目のＥＤ表示素子１０には、何ら電圧ＥＤ２が印加されておらず、時刻ｔ２２における表示色は「白色」に維持されている。なお、上記の割込Ａに対するページ送り処理が完了した時点で、第２フレームメモリ２６ｂに格納されている各画素毎の最新濃度情報は「３，０，１」に更新されている。
【００７５】
時刻ｔ２２〜ｔ２３の表示保持期間では、いずれのＥＤ表示素子１０にも電圧が印加されていないので、時刻ｔ２１〜ｔ２２において黒描画された出力画像（「３，０，１」）が保持され、ユーザはその出力画像を確認することができる。
【００７６】
時刻ｔ２３において、操作部２８のページ送りボタン２８ａが押下されると、ＣＰＵ２７に対して割込Ｂがかかり、ＣＰＵ２７は、表示パネル２３の描画モードをページ送りモードに設定して、第１フレームメモリ２６ａの格納内容を更新する。なお、割込Ｂでは、表示パネル２３に表示すべき画像データとして、「０，１，３」が第１フレームメモリ２６ａに格納されているものとする。
【００７７】
時刻ｔ２３〜ｔ２４は、反転白リセット期間であり、時刻ｔ２４以降の黒描画処理に先立って、３行分のＥＤ表示素子１０全てが白状態に戻される。この反転白リセットでは、先述の強制白リセット（先出の図４で示した時刻ｔ１１〜ｔ１２を参照）と異なり、各画素毎の表示状態を考慮し、各画素毎に対して個別的に白リセット用のパルス電圧が印加される。なお、第２フレームメモリ２６ｂには、割込Ａに対するページ送り処理によって更新された各画素毎の最新濃度情報（「３，０，１」）が格納されているので、反転白リセットに際しては、この格納情報が利用される。
【００７８】
具体的に述べると、時刻ｔ２３〜ｔ２４の反転白リセット期間では、第２フレームメモリ２６ｂの格納情報に基づいて、時刻ｔ２１〜ｔ２２における黒描画期間と同様のパルス電圧印加シーケンスが、コモン電圧ＶＣＯＭの正負を反転させた状態で実施される。すなわち、第１行目のＥＤ表示素子１０には、３フレーム分の正のパルス電圧ＥＤ１が印加され、第３行目のＥＤ表示素子１０には、１フレーム分の正のパルス電圧ＥＤ３が印加される。その結果、時刻ｔ２４では各々の表示色がいずれも「白色」に戻されることになる。一方、第２行目のＥＤ表示素子１０は、元々から「白色」であるため、時刻ｔ２３〜ｔ２４の反転白リセット期間において、何ら電圧ＥＤ２が印加されることはない。なお、上記の反転白リセット処理が完了した時点で、第２フレームメモリ２６ｂに格納されている各画素毎の最新濃度情報は「０，０，０」に更新されている。
【００７９】
時刻ｔ２４〜ｔ２５の黒描画期間では、第１フレームメモリ２６ａに格納された画像データに基づいて、第２行目のＥＤ表示素子１０に、１フレーム分の負のパルス電圧ＥＤ２が印加され、第３行目のＥＤ表示素子１０に、３フレーム分の負のパルス電圧ＥＤ３が印加される。その結果、時刻ｔ２５では、各々の表示色が「薄い灰色」と「濃い灰色」に変化している。一方、第１行目のＥＤ表示素子１０には、何ら電圧ＥＤ１が印加されておらず、時刻ｔ２５における表示色は「白色」に維持されている。なお、上記の割込Ｂに対するページ送り処理が完了した時点で、第２フレームメモリ２６ｂに格納されている各画素毎の最新濃度情報は「０，１，３」に更新されている。
【００８０】
以降、ページ送り処理が行われる毎に、黒描画処理に先立って上記の反転白リセットが行われる。
【００８１】
このように、反転白リセットでは、白リセットが必要な黒状態（濃度値：１〜ｍａｘ）の各画素に対し、各々を白状態（濃度値：０）に戻すために必要十分な量（期間）だけ、白リセット用のパルス電圧を選択的に印加することができるので、ＥＤ表示素子１０の劣化を最小限に抑えることが可能となる。
【００８２】
＜システム起動動作＞
図９は、第１実施形態におけるシステム起動例を示すタイミングチャートであり、上から順に、ＥＤ表示装置２０のシステム状態、操作部２８の動作状態、第１フレームメモリ２６ａの格納内容、第２フレームメモリ２６ｂの格納内容、有効／無効フラグ記憶部２９の格納内容、及び、表示パネル２３の出力状態が各々描写されている。
【００８３】
時刻ｔ３１より前には、システムが電源オフ状態とされている。なお、ＥＤ表示素子１０は、メモリー性（電源オフ状態でも表示状態を維持する特性）を有しているため、時刻ｔ３１の時点で、表示パネル２３に何らかの出力画像（ここでは第Ｎページとする）が描写されている場合も想定される。しかしながら、第１フレームメモリ２６ａや第２フレームメモリ２６ｂはいずれも揮発性であり、各々の格納内容はいずれも不定となっているため、ＥＤ表示装置２０のシステムが表示パネル２３の出力状態を知る術はない。
【００８４】
時刻ｔ３１において、ユーザの電源オン操作が受け付けられると、システムが電源オン状態となり、システムの初期化が開始される。なお、システムの初期化中（時刻ｔ３１〜ｔ３２）において、第１フレームメモリ２７ａ、第２フレームメモリ２６ｂ、及び、有効／無効フラグ記憶部２９の格納内容は、いずれも不定となっている。また、操作部２８への入力操作は無効とされている。
【００８５】
時刻ｔ３２において、システムの初期化が完了すると、操作部２８への入力操作が有効とされ、表示パネル２３の現在の出力状態を保持しながら、ユーザ操作を待ち受けている状態（表示保持期間）となる。ただし、時刻ｔ３２の時点においても、第１フレームメモリ２６ａ及び第２フレームメモリ２６ｂの格納内容は、いずれも不定のままである。従って、有効／無効フラグ記憶部２９には、第２フレームメモリ２６ｂの格納内容が無効であることを示す「無効」フラグが書き込まれる。
【００８６】
時刻ｔ３３において、操作部２８のページ送りボタン２８ａが押下されると、システムは白リセット状態となり、時刻ｔ３３〜ｔ３４にかけて、表示パネル２３の全面が白色に変化される。このとき、有効／無効フラグ記憶部２９には「無効」フラグが書き込まれている。従って、時刻ｔ３３〜ｔ３４では、第２フレームメモリ２６ｂの格納内容に依ることなく、全ての画素に対して一律的に白リセット用のパルス電圧を印加する「強制白リセット」が行われるので、表示パネル２３の出力状態を把握することができていない場合でも、表示パネル２３の全面を白化することが可能となる。なお、この強制白リセットに際しては、表示パネル２３の全面を確実に白化すべく、表示パネル２３を形成する全ての画素が完全な黒状態（濃度値：ｍａｘ）とされている状況を想定し、これら全ての画素を白状態（濃度値：０）に戻すために必要な量（期間）だけ、白リセット用のパルス電圧を印加することが望ましい。
【００８７】
時刻ｔ３３〜ｔ３４において、上記の強制白リセットが行われている間に、第１フレームメモリ２６ａには、表示パネル２３に表示すべき画像データ（ここでは、第１ページの画像データ）が転送される。
【００８８】
時刻ｔ３４において、上記の強制白リセットが完了すると、システムは黒描画状態となり、時刻ｔ３４〜ｔ３５にかけて、第１フレームメモリ２６ａの格納内容に基づく黒描画処理が行われる。
【００８９】
時刻ｔ３５において、上記の黒描画処理が完了すると、表示パネル２３には、第１ページの出力画像が描写された状態となり、第２フレームメモリ２６ｂには、表示パネル２３における現在の出力状態を示す情報として、表示パネル２３を形成する各画素毎の最新濃度情報（第１ページの画像データ）が格納される。そして、有効／無効フラグ記憶部２９には、第２フレームメモリ２６ｂの格納内容が有効であることを示す「有効」フラグが書き込まれる。以後、システムは、表示パネル２３の現在の出力状態を保持しながら、ユーザ操作を待ち受けている状態（表示保持期間）となる。
【００９０】
時刻ｔ３６において、操作部２８のページ送りボタン２８ａが押下されると、システムは白リセット状態となり、時刻ｔ３６〜ｔ３７にかけて、表示パネル２３の全面が白色に変化される。このとき、有効／無効フラグ記憶部２９には「有効」フラグが書き込まれている。従って、時刻ｔ３６〜ｔ３７では、第２フレームメモリ２６ｂの格納内容に基づいて、白リセットが必要な黒状態（濃度値：１〜ｍａｘ）の各画素に対して、各々を白状態（濃度値：０）に戻すために必要十分な量（期間）だけ、白リセット用のパルス電圧を選択的に印加する「反転白リセット」が行われるので、画素の劣化を招かずに済む。
【００９１】
時刻ｔ３６〜ｔ３７において、上記の反転白リセットが行われている間に、第１フレームメモリ２６ａには、表示パネル２３に表示すべき画像データ（ここでは、第２ページの画像データ）が転送される。
【００９２】
時刻ｔ３７において、上記の反転白リセットが完了すると、システムは黒描画状態となり、時刻ｔ３７〜ｔ３８にかけて、第１フレームメモリ２６ａの格納内容に基づく黒描画処理が行われ、これが完了した時点で表示保持期間となる。
【００９３】
以降、ページ送り処理が行われる毎に、黒描画処理に先立って上記の反転白リセットが行われる。
【００９４】
なお、上記の第１実施形態を採用した場合、ＥＤ表示装置２０のシステム起動後、最初の黒描画処理前には、表示パネル２３の出力状態に依ることなく、常に強制白リセットが行われる。従って、システム起動時における表示パネル２３の出力状態をシステム側で把握しておく必要はなく、延いては、システム終了時に何ら特別な処理を行う必要もない。
【００９５】
ただし、上記の第１実施形態を採用した場合には、上記したシステム起動時の強制白リセットによって、表示素子の劣化を僅かながらも進めてしまうことになる。
【００９６】
そこで、システム起動後の強制白リセットを極力回避して、表示素子の劣化をさらに抑制することが可能な第２実施形態を以下に提案する。
【００９７】
＜ＥＤ表示装置のシステム構成（第２実施形態）＞
図１０は、ＥＤ表示装置２０の第２実施形態を示すシステム構成図である。本構成例のＥＤ表示装置２０は、先に説明したゲートドライバ２１、ソースドライバ２２、及び、表示パネル２３、表示コントローラ２４、コモン電圧駆動回路２５、第１フレームメモリ２６ａ、第２フレームメモリ２６ｂ、ＣＰＵ２７、操作部２８、及び、有効／無効フラグ記憶部２９に加えて、終了状態フラグ記憶部３０と、復帰情報記憶部３１と、を有する。
【００９８】
終了状態フラグ記憶部３０は、システムが正常終了したのか異常終了したのかを示す終了状態フラグを不揮発的に記憶する。なお、上記の終了状態フラグとしては、不測の異常終了に備えて、基本的に「異常終了」フラグが書き込まれており、システムが正常終了した場合に限り「正常終了」フラグが書き込まれる。
【００９９】
復帰情報記憶部３１は、システムの起動に際してその格納内容が不定となっている第２フレームメモリ２６ｂに対して、システム終了時の格納内容を復帰させるために必要となる復帰情報を不揮発的に記憶する。なお、上記の復帰情報としては、第２フレームメモリ２６ｂの格納内容（または、第１フレームメモリ２６ａの格納内容）を全て退避させて記憶しておいてもよいし、或いは、システム終了時における表示パネル２３の出力状態を特定するために必要な情報（例えば、文書の何ページ目が表示されていたのかを示すページ履歴情報）のみを記憶しておいてもよい。前者の構成を採用した場合には、システム起動時に、上記の復帰情報自体が第２フレームメモリ２６ｂに転送されることになる。一方、後者の構成を採用した場合には、システム起動時に、上記の復帰情報によって特定される画像データが第２フレームメモリ２６ｂに転送されることになる。
【０１００】
＜システム正常終了後のシステム起動動作＞
図１１は、第２実施形態におけるシステム正常終了後のシステム起動例を示すタイミングチャートであり、上から順に、ＥＤ表示装置２０のシステム状態、操作部２８の動作状態、第１フレームメモリ２６ａの格納内容、第２フレームメモリ２６ｂの格納内容、有効／無効フラグ記憶部２９の格納内容、終了状態フラグ記憶部３０の格納内容、及び、表示パネル２３の出力状態が各々描写されている。
【０１０１】
時刻ｔ４１以前において、システムは、表示パネル２３に所望の出力画像（ここでは第（Ｎ−１）ページとする）を保持しながら、ユーザ操作を待ち受けている状態（表示保持期間）となっている。
【０１０２】
時刻ｔ４１において、操作部２８のページ送りボタン２８ａが押下されると、システムは白リセット状態となり、時刻ｔ４１〜ｔ４２にかけて、表示パネル２３の全面が白色に変化される。このとき、有効／無効フラグ記憶部２９には「有効」フラグが書き込まれている。従って、時刻ｔ４１〜ｔ４２では、第２フレームメモリ２６ｂの格納内容に基づいて、白リセットが必要な黒状態（濃度値：１〜ｍａｘ）の各画素に対して、各々を白状態（濃度値：０）に戻すために必要十分な量（期間）だけ、白リセット用のパルス電圧を選択的に印加する「反転白リセット」が行われるので、画素の劣化を招かずに済む。
【０１０３】
時刻ｔ４１〜ｔ４２において、上記の反転白リセットが行われている間に、第１フレームメモリ２６ａには、表示パネル２３に表示すべき画像データ（ここでは、第Ｎページの画像データ）が転送される。
【０１０４】
時刻ｔ４２において、上記の反転白リセットが完了すると、システムは黒描画状態となり、時刻ｔ４２〜ｔ４３にかけて、第１フレームメモリ２６ａの格納内容に基づく黒描画処理が行われる。
【０１０５】
時刻ｔ４３において、上記の黒描画処理が完了すると、表示パネル２３には、第Ｎページの出力画像が描写された状態となり、第２フレームメモリ２６ｂには、表示パネル２３における現在の出力状態を示す情報として、表示パネル２３を形成する各画素毎の最新濃度情報（第Ｎページの画像データ）が格納される。なお、有効／無効フラグ記憶部２９に書き込まれている「有効フラグ」は、時刻ｔ４３以降も保持される。以後、システムは、表示パネル２３の現在の出力状態を保持しながら、ユーザ操作を待ち受けている状態（表示保持期間）となる。
【０１０６】
時刻ｔ４４において、ユーザの電源オフ操作が受け付けられると、操作部２８への入力操作が無効とされ、システムの正常終了シーケンスが開始される。この正常終了シーケンスでは、システムの次回起動に際して第２フレームメモリ２６ｂにシステム終了時の格納内容を復帰させるために必要となる復帰情報が復帰情報記憶部３１で不揮発的に記憶される。なお、図１１では、上記の復帰情報として、第２フレームメモリ２６ｂの格納内容を全て退避させている。また、上記の正常終了シーケンスでは、第２フレームメモリ２６ｂの格納内容の退避処理が完了した時点で、終了状態フラグ記憶部３０に、システムが正常終了したことを示す「正常終了」フラグが書き込まれる。
【０１０７】
時刻ｔ４５において、システムの正常終了シーケンスが完了すると、システムが正常終了されて電源オフ状態となる。従って、揮発性である第１フレームメモリ２６ａ、第２フレームメモリ２６ｂ、及び、有効／無効フラグ記憶部２９の格納内容はいずれも不定となる。一方、不揮発性である終了状態フラグ記憶部３０、及び、復帰情報記憶部３１の格納内容はいずれも不定とならず、システム終了時点の格納内容が保持される。また、ＥＤ表示素子１０は、メモリー性を有しているため、時刻ｔ４５以降も、表示パネル２３には、それまでの出力画像（第Ｎページ）が描写されている。
【０１０８】
時刻ｔ４６において、ユーザの電源オン操作が受け付けられると、システムが電源オン状態となり、システムの初期化が開始される。なお、システムの初期化中（時刻ｔ４６〜ｔ４７）において、第１フレームメモリ２７ａ、第２フレームメモリ２６ｂ、及び、有効／無効フラグ記憶部２９の格納内容は、いずれも不定となっている。また、操作部２８への入力操作は無効とされている。
【０１０９】
一方、終了状態フラグ記憶部３０には、前回のシステム終了時にシステムが正常終了したことを示す「正常終了」フラグが書き込まれている。そこで、時刻ｔ４６〜ｔ４７におけるシステムの初期化では、復帰情報記憶部３１の格納内容に基づいて、第２フレームメモリ２６ｂに前回システム終了時の格納内容（第Ｎページの画像データ）が復帰され、有効／無効フラグ記憶部２９には、第２フレームメモリ２６ｂの格納内容が有効であることを示す「有効」フラグが書き込まれる。
【０１１０】
時刻ｔ４７において、システムの初期化が完了すると、操作部２８への入力操作が有効とされ、表示パネル２３の現在の出力状態を保持しながら、ユーザ操作を待ち受けている状態（表示保持期間）となる。なお、この時点で、終了状態フラグ記憶部３０には、不測の異常終了に備えて、「異常終了」フラグが書き込まれる。
【０１１１】
時刻ｔ４８において、操作部２８のページ送りボタン２８ａが押下されると、システムは白リセット状態となり、時刻ｔ４８〜ｔ４９にかけて、表示パネル２３の全面が白色に変化される。このとき、有効／無効フラグ記憶部２９には「有効」フラグが書き込まれている。従って、時刻ｔ４８〜ｔ４９では、第２フレームメモリ２６ｂの格納内容に基づいて、白リセットが必要な黒状態（濃度値：１〜ｍａｘ）の各画素に対して、各々を白状態（濃度値：０）に戻すために必要十分な量（期間）だけ、白リセット用のパルス電圧を選択的に印加する「反転白リセット」が行われるので、画素の劣化を招かずに済む。
【０１１２】
時刻ｔ４８〜ｔ４９において、上記の反転白リセットが行われている間に、第１フレームメモリ２６ａには、表示パネル２３に表示すべき画像データ（ここでは、第１ページの画像データ）が転送される。
【０１１３】
時刻ｔ４９において、上記の反転白リセットが完了すると、システムは黒描画状態となり、時刻ｔ４９〜ｔ５０にかけて、第１フレームメモリ２６ａの格納内容に基づく黒描画処理が行われる。
【０１１４】
時刻ｔ５０において、上記の黒描画処理が完了すると、表示パネル２３には、第１ページの出力画像が描写された状態となり、第２フレームメモリ２６ｂには、表示パネル２３における現在の出力状態を示す情報として、表示パネル２３を形成する各画素毎の最新濃度情報（第１ページの画像データ）が格納される。なお、有効／無効フラグ記憶部２９に書き込まれている「有効フラグ」は、時刻ｔ５０以降も保持される。以後、システムは、表示パネル２３の現在の出力状態を保持しながら、ユーザ操作を待ち受けている状態（表示保持期間）となる。
【０１１５】
以降、ページ送り処理が行われる毎に、黒描画処理に先立って上記の反転白リセットが行われる。
【０１１６】
このように、上記の第２実施形態を採用した場合、前回のシステム終了時にシステムが正常終了していれば、ＥＤ表示装置２０のシステム起動後、最初の黒描画処理前における白リセットとして、反転白リセットを行うことができるので、先述の第１実施形態に比べて、表示素子の劣化をさらに抑制することが可能となる。
【０１１７】
＜システム異常終了後のシステム起動動作＞
図１２は、第２実施形態におけるシステム異常終了後のシステム起動例を示すタイミングチャートであり、上から順に、ＥＤ表示装置２０のシステム状態、操作部２８の動作状態、第１フレームメモリ２６ａの格納内容、第２フレームメモリ２６ｂの格納内容、有効／無効フラグ記憶部２９の格納内容、終了状態フラグ記憶部３０の格納内容、及び、表示パネル２３の出力状態が各々描写されている。なお、時刻ｔ４１〜ｔ４３については、図１１と同様であるため、重複した説明は割愛する。
【０１１８】
時刻ｔ４３において、システムが表示保持期間に移行した後、時刻ｔ４５において、システムの正常終了シーケンスを経ることなく、不測の事態（システム暴走状態からの強制再起動や電池脱落による電源の急遮断など）が生じてシステムが異常終了してしまい、システムが電源オフ状態とされた場合を考える。
【０１１９】
この場合、システムの電源オフに伴い、揮発性である第１フレームメモリ２６ａ、第２フレームメモリ２６ｂ、及び、有効／無効フラグ記憶部２９の格納内容はいずれも不定となる。一方、ＥＤ表示素子１０は、メモリー性を有しているため、時刻ｔ４５以降も、表示パネル２３にはそれまでの出力画像（第Ｎページ）が描写されている。また、不揮発性である終了状態フラグ記憶部３０、及び、復帰情報記憶部３１の格納内容はいずれも不定とならず、システム終了時点の格納内容が保持される。
【０１２０】
ただし、システムの正常終了シーケンスを経ていないため、復帰情報記憶部３１には、システムの次回起動に際して第２フレームメモリ２６ｂにシステム終了時の格納内容を復帰させるために必要な復帰情報が何ら記憶されていない状態となる。また、終了状態フラグ記憶部３０には、システムが正常終了したことを示す「正常終了」フラグが書き込まれていない状態、言い換えれば、「異常終了」フラグが書き込まれたままの状態となる。そのため、システムの次回起動時において、ＥＤ表示装置２０のシステムが表示パネル２３の出力状態（第Ｎページ）を知る術はもはや存在していない。
【０１２１】
このような状況下、時刻ｔ４６において、ユーザの電源オン操作が受け付けられると、システムが電源オン状態となり、システムの初期化が開始される。なお、システムの初期化中（時刻ｔ４６〜ｔ４７）において、第１フレームメモリ２７ａ、第２フレームメモリ２６ｂ、及び、有効／無効フラグ記憶部２９の格納内容は、いずれも不定となっている。また、操作部２８への入力操作は無効とされている。
【０１２２】
一方、終了状態フラグ記憶部３０には、前回のシステム終了時にシステムが異常終了したことを示す「異常終了」フラグが書き込まれている。そこで、時刻ｔ４６〜ｔ４７におけるシステムの初期化では、復帰情報記憶部３１の格納内容に基づいて第２フレームメモリ２６ｂの格納内容を復帰することができないという判断の下、有効／無効フラグ記憶部２９に、第２フレームメモリ２６ｂの格納内容が無効であることを示す「無効」フラグが書き込まれる。
【０１２３】
時刻ｔ４７において、システムの初期化が完了すると、操作部２８への入力操作が有効とされ、表示パネル２３の現在の出力状態を保持しながら、ユーザ操作を待ち受けている状態（表示保持期間）となる。なお、終了状態フラグ記憶部３０に書き込まれている「異常終了」フラグは、時刻ｔ４７以降も保持される。
【０１２４】
時刻ｔ４８において、操作部２８のページ送りボタン２８ａが押下されると、システムは白リセット状態となり、時刻ｔ４８〜ｔ４９にかけて、表示パネル２３の全面が白色に変化される。このとき、有効／無効フラグ記憶部２９には「無効」フラグが書き込まれている。従って、時刻ｔ４８〜ｔ４９では、第２フレームメモリ２６ｂの格納内容に依ることなく、全ての画素に対して一律的に白リセット用のパルス電圧を印加する「強制白リセット」が行われるので、不測の事態が生じてシステムが異常終了してしまい、次回システム起動時において、表示パネル２３の出力状態を把握することができていない場合でも、表示パネル２３の全面を白化することが可能となる。
【０１２５】
時刻ｔ４８〜ｔ４９において、上記の強制白リセットが行われている間に、第１フレームメモリ２６ａには、表示パネル２３に表示すべき画像データ（ここでは、第１ページの画像データ）が転送される。
【０１２６】
時刻ｔ４９において、上記の強制白リセットが完了すると、システムは黒描画状態となり、時刻ｔ４９〜ｔ５０にかけて、第１フレームメモリ２６ａの格納内容に基づく黒描画処理が行われる。
【０１２７】
時刻ｔ５０において、上記の黒描画処理が完了すると、表示パネル２３には、第１ページの出力画像が描写された状態となり、第２フレームメモリ２６ｂには、表示パネル２３における現在の出力状態を示す情報として、表示パネル２３を形成する各画素毎の最新濃度情報（第１ページの画像データ）が格納される。そして、有効／無効フラグ記憶部２９には、第２フレームメモリ２６ｂの格納内容が有効であることを示す「有効」フラグが書き込まれる。以後、システムは、表示パネル２３の現在の出力状態を保持しながら、ユーザ操作を待ち受けている状態（表示保持期間）となる。
【０１２８】
時刻ｔ５１において、操作部２８のページ送りボタン２８ａが押下されると、システムは白リセット状態となり、時刻ｔ５１〜ｔ５２にかけて、表示パネル２３の全面が白色に変化される。このとき、有効／無効フラグ記憶部２９には「有効」フラグが書き込まれている。従って、時刻ｔ５１〜ｔ５２では、第２フレームメモリ２６ｂの格納内容に基づいて、白リセットが必要な黒状態（濃度値：１〜ｍａｘ）の各画素に対して、各々を白状態（濃度値：０）に戻すために必要十分な量（期間）だけ、白リセット用のパルス電圧を選択的に印加する「反転白リセット」が行われるので、画素の劣化を招かずに済む。
【０１２９】
時刻ｔ５１〜ｔ５２において、上記の反転白リセットが行われている間に、第１フレームメモリ２６ａには、表示パネル２３に表示すべき画像データ（ここでは、第２ページの画像データ）が転送される。
【０１３０】
時刻ｔ５２において、上記の反転白リセットが完了すると、システムは黒描画状態となり、時刻ｔ５２〜ｔ５３にかけて、第１フレームメモリ２６ａの格納内容に基づく黒描画処理が行われ、これが完了した時点で表示保持期間となる。
【０１３１】
以降、ページ送り処理が行われる毎に、黒描画処理に先立って上記の反転白リセットが行われる。
【０１３２】
このように、上記の第２実施形態を採用した場合、前回のシステム終了時にシステムが異常終了していれば、次回のシステム起動後、最初の黒描画処理前における白リセットとして、強制白リセットを行うことができるので、先述の第１実施形態と同様、表示パネル２３の出力状態を把握することができていない場合でも、表示パネル２３の全面を白化することが可能となる。
【０１３３】
なお、図１２では、第２フレームメモリ２６ｂへの情報格納処理が完了している表示保持期間において、システムの異常終了が生じた場合を例に挙げて説明を行ったが、上記の第２実施形態を採用したＥＤ表示装置２０であれば、白リセット中や黒描画処理中など、いかなるタイミングでシステムの異常終了が生じた場合であっても、次回のシステム起動後には、最初の黒描画処理前における白リセットとして強制白リセットを行うことが可能である。なぜなら、終了状態フラグ記憶部３０には、不測の異常終了に備えて、基本的に「異常終了」フラグが書き込まれており、システムが正常終了した場合に限り、「正常終了」フラグが書き込まれるからである。
【０１３４】
＜その他の変形例＞
上記の実施形態では、本発明の適用対象として、ＥＤ表示素子の駆動制御を行う駆動装置を例に挙げて説明を行ったが、本発明の適用対象はこれに限定されるものではなく、本発明は、メモリー性を有する表示素子（例えば、エレクトロクロミック表示素子などの電気化学表示素子、或いは、電気泳動性粒子を用いた表示素子）の駆動制御を行う駆動装置全般に広く適用することが可能である。
【０１３５】
また、上記の実施形態では、表示パネル２３が白黒パネルである場合を例に挙げて説明を行ったが、本発明の構成はこれに限定されるものではなく、表示パネル２３をカラー化する場合には、画像データの１ピクセルを形成するサブピクセル（例えば、ＲＧＢＷサブピクセル）の一つとして、各々のセル２３１を制御すればよい（図１３を参照）。
【０１３６】
このように、本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【０１３７】
本発明は、電子ペーパー等の電子情報表示装置において、メモリー性を有する表示画素のリセット動作に伴う劣化を抑制する上で有用な技術である。
【符号の説明】
【０１３８】
１０    ＥＤ表示素子
１１    上部基板
１２    下部基板
１３    上部電極
１４    下部電極
１５    電解液
２０    ＥＤ表示装置
２１、２１−１〜２１−Ｘ    ゲートドライバ
２２、２２−１〜２２−Ｙ    ソースドライバ
２３    表示パネル
２３１    セル
２３２    電源電圧線
２３３    コモン電圧線
２４    表示コントローラ
２５    コモン電圧駆動回路
２６ａ    第１フレームメモリ
２６ｂ    第２フレームメモリ
２７    中央演算処理装置（ＣＰＵ）
２８    操作部
２８ａ    ページ送りボタン
２８ｂ    ページ戻しボタン
２９    有効／無効フラグ記憶部
３０    終了状態フラグ記憶部（不揮発性メモリ）
３１    復帰情報記憶部（不揮発性メモリ）
Ｇ１〜Ｇｙ    ゲート線（ゲート信号）
Ｓ１〜Ｓｙ    ソース線（ソース信号）
Ｔｒ１    選択用トランジスタ
Ｔｒ２    駆動用トランジスタ
Ｃ１、Ｃ２    補助容量
【図１Ａ】
2011197364.tif 000003
【図１Ｂ】
2011197364.tif 000004
【図２】
2011197364.tif 000005
【図３】
2011197364.tif 000006
【図４】
2011197364.tif 000007
【図５】
2011197364.tif 000008
【図６】
2011197364.tif 000009
【図７】
2011197364.tif 000010
【図８】
2011197364.tif 000011
【図９】
2011197364.tif 000012
【図１０】
2011197364.tif 000013
【図１１】
2011197364.tif 000014
【図１２】
2011197364.tif 000015
【図１３】
2011197364.tif 000016